【事件の表示】
　特願２００７−　２９２８５「温度管理媒体」拒絶査定不服審判事件〔平成２０年　８月２８日出願公開、特開２００８−１９６８５９〕について、次のとおり審決する。
【結　論】
　本件審判の請求は、成り立たない。
【理　由】
１．手続の経緯・原査定の拒絶の理由
　本願は、平成１９年２月８日の出願であって、平成２３年９月２日付けで明細書及び特許請求の範囲についての補正（以下、「補正１」という。）がなされ、平成２４年３月２９日付け（送達は、同年４月３日である。）で拒絶査定がなされ、これに対し、平成２４年６月２９日に拒絶査定不服審判が請求されたものである。
　そして、原査定の主たる拒絶の理由は、特許請求の範囲に記載の発明は、本願出願前に国内又は外国において頒布された刊行物である特開２００５−２９１８００（以下、「引用例１」という。）に記載された発明に基づいて当業者が容易に発明をすることができた、というものである。
　
２．本願発明
　本願の請求項１に係る発明は、補正１によって補正された特許請求の範囲に記載の、次のとおりのものである。 
「常温にて液状で、かつ、所定温度まで冷却すると凝固する乳化液を備え、該凝固した乳化液は昇温により融解し、相分離する温度管理媒体であって、
 前記乳化液は、水、油分およびリン脂質を含む脂質混合物を含有し、
 前記油分は、トリアシルグリセロールおよび／またはジアシルグリセロールと、炭素数が４以上かつ４０以下の炭化水素および官能基を有する炭素数が１以上かつ６０以下の炭化水素と、を主成分とすることを特徴とする温度管理媒体。」（以下、「本願発明」という。） 　
　
３．引用例記載の事項・引用発明
（１）記載事項
　これに対して、引用例１には、次の事項（ａ）ないし（ｅ）が記載されている。
（ａ）「【請求項１】
  温度により相分離する乳化液からなる温度管理媒体であって、前記乳化液は、水、油脂、リン脂質を含む脂質混合物および親油性有機溶剤からなることを特徴とする温度管理媒体。」
（ｂ）「【請求項３】
  前記親油性有機溶剤が、アルキル系有機溶剤であることを特徴とする請求項１に記載の温度管理媒体。」
（ｃ）「【０００９】
  上記課題を解決するため本発明に係る温度管理媒体は、水、油脂、リン脂質を含む脂質混合物および親油性有機溶剤からなり、温度により相分離する乳化液を利用した温度管理媒体とした。
  本発明の温度管理媒体は、前記乳化液を密封容器内に収納したものとすることができる。
  また、前記親油性有機溶剤として、含塩素系有機溶剤、アルキル系有機溶剤もしくは芳香族炭化水素類等を使用することができる。
  かかる構成の温度管理媒体とすれば、外部と遮断された空間を有する密封容器内に、雰囲気あるいは貼付された荷物の温度が、例えば氷点下にあるときには不透明な凝固した状態を維持する乳化液が配されており、氷点を越えて特定温度以上に昇温した際には乳化状態から相分離状態に変化し、不透明な油相と透明な水相に分かれる、いわゆる相分離を起こす。ゆえに、このような状態変化、すなわち油相と水相に区分された状態を検知することにより、この温度管理媒体を貼付した物品の保存温度が特定の温度を越えるような温度になったか否かの温度履歴を容易かつ確実に検知することができる。」
（ｄ）「【００２３】
  油脂としては、例えば０℃近傍またはそれ以下の融点をもち、１５℃程度の雰囲気温度にて水と相分離するトリアシルグリセロール（ＴＡＧと略称する）からなる食用油が挙げられる。ただし、油脂はＴＡＧに限定されるものではなく、ジアシルグリセロール（ＤＡＧと略称する）やモノアシルグリセロール（ＭＡＧと略称する）を用いてもよい。
  上述したＴＡＧ、ＤＡＧ及びＭＡＧ以外の油脂としては、例えば、アジピン酸ジデシル、アジピン酸ジメチル、アセトフェノン、アセトチェノン、安息香酸ベンジル、安息香酸ブチル、安息香酸メチル、エチレングリコール、ウンデシルアルコール、１−ウンデシル−１１−オール、ウンデシル酸、n −オクチルアルコール、オレインアルコール、オレイン酸、オレイン酸ブチルオレオパルミチン、カプリル酸、カプリン酸、カプロン酸、カプロン酸ラウリル、ジエチレングリコール、シクロペンタン−１，２−ジオール、ジエチレングリコールジベンゾエート、ジフェニルエーテル、ジベンジルケトン、ジリノレイン、ジリノレニン、ステアリン酸エチル、ステアリン酸ブチル、ステアリン酸プロピル、ステアリン酸メチル、ステアロジオレイン、スベリン酸ジメチル、スベリン酸ジエチル、スベリン酸モノエチル、スベリン酸モノメチル、セバチン酸ブチル、デシルアルコール、トリエチレングリコール、トリラウリルアミン、ｎ−ノニルアルコール、パルミチン酸アミル、パルミチン酸エチル、パルミチン酸オクチル、パルミチン酸デシル、パルミチン酸ドデシル、パルミチン酸ブチル、パルミチン酸プロピル、パルミチン酸メチル、フタル酸ジエチル、フタル酸ジｎ−オクチル、フタル酸ジメチル、フタル酸ジブチル、フタル酸ジラウリル、フタル酸モノメチル、ｔ−ブチルアルコール、プロピオフェノン、３，４−ヘキサンジオール、ベヘノール酸エチル、１，７−ヘペタン−ジオール、ペラルゴン酸、ベンジルアルコール、ベゾフェノン、ペンタデシルアルコール、ポリエチレングリコール、ミリスチルアルコール、ミリスチン酸エチル、ミリスチン酸メチル、メチルヘキシルケトン、モノラウリン酸グリコール、ラウリルアルコール、ラウリルアミン、ラウリン酸エチル、ラウリン酸ドデシル、ラウリン酸フェニル、ラウリン酸メチル、リノール酸、リノレイルアルコール、リノレニン、リノレイン酸、リノレン酸、アズキ油、オリーブ油、アンズ核油、エンドウマメ油、オランダゼリ油、油、落花生油、ヤシ油、カボチャ種油、カラス麦油、ゴマ油、ツバキ油、ナタネ油、ヒマシ油、ホホバ油、綿実油などを挙げることができる。上述した油脂は、０℃近傍またはそれ以下の融点をもち、１５℃程度の雰囲気温度にて水と相分離する組合せであれば、単独（１種）で用いる以外に、２種以上の混合物を用いても構わない。」
（ｅ）「【００２７】
  本発明の温度管理媒体に使用する親油性有機溶剤としては、塩素系有機溶剤、アルキル系有機溶剤もしくは芳香族炭化水素類等の有機溶媒が使用できる。塩素系有機溶剤としては、例えば、クロロホルム、四塩化炭素、塩化メチレン、トリクロロエチレンあるいはテトラクロロエチレン等が例示できる。また、アルキル系有機溶剤としては、例えば、ペンタン、ヘキサン、オクタン、灯油もしくはガソリン等が例示できる。さらに、芳香族炭化水素類としては、例えば、ベンゼンやトルエン等が例示できる。乳化液中にこれらの親油性有機溶剤を少量加えることにより、乳化液の凝固点が下がるので、相分離温度をより正確に制御することが可能となる。」
　
・前記記載（ａ），（ｂ）より、
（ア）「温度により相分離する乳化液からなる温度管理媒体であって、前記乳化液は、水、油脂、リン脂質を含む脂質混合物および親油性有機溶剤からなり、前記親油性有機溶剤が、アルキル系有機溶剤である温度管理媒体」の技術事項が読み取れる。
・前記記載（ｃ）より、
（イ）温度により相分離する乳化液からなる温度管理媒体は、具体的には、「例えば氷点下にあるときには不透明な凝固した状態を維持する乳化液が配されており、氷点を越えて特定温度以上に昇温した際には乳化状態から相分離状態に変化し、不透明な油相と透明な水相に分かれる」ものであるとの技術事項が読み取れる。
・前記記載（ｄ）より、
（ウ）油脂は、トリアシルグリセロール等であると技術事項が読み取れる。
・前記記載（ｅ）より、
（エ）親油性有機溶剤は、ペンタン、ヘキサン、オクタン、灯油もしくはガソリン等のアルキル系有機溶剤であるとの技術事項が読み取れる。
　
（２）引用発明
　上記記載（ア）ないし（エ）の技術事項を総合すると、引用例１には、次の発明が記載されているものと認める。
「氷点下にあるときには不透明な凝固した状態を維持する乳化液が配されており、氷点を越えて特定温度以上に昇温した際には乳化状態から相分離状態に変化し、不透明な油相と透明な水相に分かれる温度管理媒体であって、
　前記乳化液は、水、油脂、リン脂質を含む脂質混合物及び親油性有機溶剤からなり、
　前記油脂は、トリアシルグリセロール等からなり、
　前記親油性有機溶剤は、ペンタン、ヘキサン、オクタン、灯油若しくはガソリン等のアルキル系有機溶剤からなる
温度管理媒体。」（以下、「引用発明」という。） 
　
４．対比
（１）本願発明と引用発明とを、主たる構成要素毎に対比する。
ア　引用発明における乳化液が配された温度管理媒体は、氷点下にあるときに凝固し、氷点を越えて特定温度以上に昇温した際には乳化状態から相分離状態に変化し、不透明な油相と透明な水相に分かれるというのであるから、引用発明における温度管理媒体は、本願発明の「常温にて液状で、かつ、所定温度まで冷却すると凝固する乳化液を備え、該凝固した乳化液は昇温により融解し、相分離する温度管理媒体」に相当する。
イ　引用発明における乳化液は、水、油脂、リン脂質を含む脂質混合物及び親油性有機溶剤からなるというのであるから、本願発明における、乳化液が水、油分およびリン脂質を含む脂質混合物を含有することに相当する。
ウ　引用発明における油脂は、トリアシルグリセロール等からなるというのであるから、本願発明の油分と、トリアシルグリセロールを含有する点で共通している。
　また、引用発明における親油性有機溶剤は、ペンタン、ヘキサン、オクタン、灯油若しくはガソリン等のアルキル系有機溶剤からなり、炭素数は、ぞれぞれ５、６、８，９〜１５程度、４〜１２程度の炭化水素である。よって、引用発明における親油性有機溶剤は、本願発明の油分として含有している「炭素数が４以上かつ４０以下の炭化水素」に相当するといえる。
　
（２）以上を総合すると、両者の一致点及び相違点は、以下のとおりである。
（一致点）
「常温にて液状で、かつ、所定温度まで冷却すると凝固する乳化液を備え、該凝固した乳化液は昇温により融解し、相分離する温度管理媒体であって、
 前記乳化液は、水、油分およびリン脂質を含む脂質混合物を含有し、
 前記油分は、トリアシルグリセロールと、炭素数が４以上かつ４０以下の炭化水素を主成分とする温度管理媒体。」 　
　
（相違点）
　本願発明の油分は、官能基を有する炭素数が１以上かつ６０以下の炭化水素を含有するのに対し、引用発明の油分は、官能基を有する炭素数が１以上かつ６０以下の炭化水素を含有するか明確でない点。
　
５．判断
　上記相違点について検討する。
　引用例１には、「油脂としては、例えば０℃近傍またはそれ以下の融点をもち、１５℃程度の雰囲気温度にて水と相分離するトリアシルグリセロール（ＴＡＧと略称する）からなる食用油が挙げられる。ただし、油脂はＴＡＧに限定されるものではなく、ジアシルグリセロール（ＤＡＧと略称する）やモノアシルグリセロール（ＭＡＧと略称する）を用いてもよい。
  上述したＴＡＧ、ＤＡＧ及びＭＡＧ以外の油脂としては、例えば、・・・などを挙げることができる。
  上述した油脂は、０℃近傍またはそれ以下の融点をもち、１５℃程度の雰囲気温度にて水と相分離する組合せであれば、単独（１種）で用いる以外に、例示されたものを含めて２種以上の混合物を用いても構わない」との記載がある（前記「３．（１）（ｄ）」を参照。）から、引用発明における油脂としては、トリアシルグリセロールに限定されるものではなく、例示されるものを含めた２種以上の混合物も用いられる。そこで、例示されるものについて検討するに、アジピン酸ジデシルからリノレン酸は、官能基を有する炭素数が１以上かつ６０以下の炭化水素材料に該当し、アズキ油から綿実油は、一般にトリグリセリドの形態をとるものを主成分とする植物性油脂であり、大きく分けて２種類の油脂しかない。
　そして、引用発明において、油脂を２種以上の混合物とするべく、さらに油脂材料を加えようと例示された材料から選択するに、大きく分けて２種類の油脂のうちの一方である、官能基を有する炭素数が１以上かつ６０以下の炭化水素材料に該当する材料を選択し、本願発明のように、油分として含ませることは、当業者が容易に為し得ることである。
　また、本願発明の実施例についてみるに、実施例２は３℃で全部が凝固し、実施例１，３，４は、それぞれ１１℃、１２℃、１５℃で全部が相分離するものである。
　それに対し、引用発明の温度管理媒体は、油脂の組合せの選択にあたって「０℃近傍またはそれ以下の融点をもち、１５℃程度の雰囲気温度にて水と相分離する組合せ」が考慮され作製されるものである。
　してみると、本願発明と引用発明の間に、温度管理上、大きな差異はなく、本願発明が、引用発明に比べ格別の効果を生じているとは認められない。
　
６．むすび
　以上のとおり、本願発明は、引用発明に基づいて当業者が容易に発明をすることができたものであるから、特許法第２９条第２項の規定により特許を受けることができない。
　したがって、他の請求項に係る発明について審理するまでもなく、本願は拒絶すべきものである。
　よって、結論のとおり審決する。